(57)【要約】【課題】ガス状物質吸入口側に設置した吸気ファンの風量を上げても、処理室内に吸入されたガス状物質が貯水槽の水と確実に接触することができるようにした、湿式ガス状物質処理装置を提供する。【解決手段】処理室と、吸引ファンと、ガス状物質吸入口と、ガス状物質排出口と、貯水槽と、垂設仕切板と、前記貯水槽の水面に奔流を発生せしめるための波状多孔質奔流発生板と、前記波状多孔質奔流発生板の上方に設置され、前記奔流により生じる飛沫を受けるための少なくとも一つの多孔質邪魔板と、前記垂設仕切板に、下端に行くに従って前記垂設仕切板から離間するように傾斜して設けられた傾斜規制板と、を有し、前記垂設仕切板よりも前記傾斜規制板の方が下方に延出せしめられてなり、前記処理室内に吸入されたガス状物質が前記貯水槽の水と接触することによって浄化される湿式ガス状物質処理装置とした。【選択図】図１
2019126743.tif 000002
【特許請求の範囲】
【請求項１】
処理室と、
前記処理室上部に設けられ、装置外部のガス状物質を前記処理室内に吸入させるための吸引ファンと、
前記処理室に形成され前記処理室内にガス状物質を吸入させるためのガス状物質吸入口と、
前記処理室に形成され前記処理室内に吸入されたガス状物質を前記処理室外に排出させるガス状物質排出口と、
前記処理室内に設けられた貯水槽と、
前記ガス状物質吸入口から吸入されるガス状物質と前記ガス状物質排出口から排出されるガス状物質とを前記処理室内で仕切るように、前記貯水槽の静止水面の上方に垂設せしめられてなる垂設仕切板と、
前記ガス状物質排出口側の前記貯水槽の静止水面と平行して、前記貯水槽の静止水面の上方に設置され、前記貯水槽の水面に奔流を発生せしめるための波状多孔質奔流発生板と、
前記波状多孔質奔流発生板の上方に設置され、前記奔流により生じる飛沫を受けるための少なくとも一つの多孔質邪魔板と、
前記垂設仕切板に、下端に行くに従って前記垂設仕切板から離間するように傾斜して設けられた傾斜規制板と、
を有し、
前記垂設仕切板よりも前記傾斜規制板の方が下方に延出せしめられてなり、
前記処理室内に吸入されたガス状物質が前記貯水槽の水と接触することによって浄化されるようにした、湿式ガス状物質処理装置。
【請求項２】
前記多孔質邪魔板が、前記貯水槽の静止水面に対して傾斜して設けられ、且つ複数枚設けられてなる、請求項１記載の湿式ガス状物質処理装置。
【請求項３】
前記傾斜規制板が、前記垂設仕切板に対して１５°〜４０°傾斜して設けられてなる、請求項１又は２記載の湿式ガス状物質処理装置。
【発明の詳細な説明】
【技術分野】
【０００１】
本発明は、飲食店を含む店舗、製造工場や化学工場、プラントなどから排出される排ガス、塗料粉塵、黒煙などの環境に影響を与えるガス状物質を分離除去するようにした湿式の排ガス処理・除塵などが可能なガス状物質処理装置に関し、特に灯油、重油等の燃焼から発生するカーボン系超微粒子及び塗装などの微細粉塵を効率良く分離回収する湿式ガス状物質処理装置に関する。
【背景技術】
【０００２】
従来、水を使った湿式の排ガス処理装置として、スクラバー装置が知られている。従来のスクラバー装置としては、水や脱臭剤液を排ガスに噴霧するタイプの装置や、排ガスと水を吸上げて滝のように逆流させ排ガスを水に当てて通過させるタイプの装置や、噴霧ノズルにより噴霧水層を作り、排ガスを噴霧水層とフィルター層とに交互に通すタイプの装置などがある。また、ロックウール、不織布、金網等に水を散布させながら、排ガスを通過させて粉塵や水溶性気体を水中に取り込む方式なども採用されているが、排ガス中に霧状の水分が排出されていて環境上の点からも好ましくないものであった。
【０００３】
上記のような従来の装置では、装置が複雑となるため故障し易いという問題などがあった。また、フィルターを使うタイプの装置ではフィルターを交換する必要があるし、また、上記のような従来の水を使う装置では、スプレーや送水ポンプなどの個々の装置が必要となり、メンテナンスにも手間がかかるという問題があった。また、上記のような従来の水を使う装置では、水を大量に使用する必要があった。そこで、本願出願人は、特許文献１に示す湿式ガス状物質処理装置を提案し、好評を得ている。
【０００４】
しかしながら、特許文献１に示す湿式ガス状物質処理装置において、吸気ファンを貯水槽よりもガス状物質吸入口側に設置した装置の場合（前方吸引型の湿式ガス状物質処理装置の場合）、ガス状物質吸入口からの風量を上げるために風量の大きな吸気ファンを用いて、吸引力を強力にしようとすると、次のような問題点があった。
【０００５】
前方吸引型の湿式ガス状物質処理装置の場合、吸引されたガス状物質は、ガス状物質吸入口側の貯水槽の水面に大きな風圧でぶつかるので、汚れた空気を含むガス状物質が、僅かな隙間や穴から装置の外に吹きだしてしまうという問題があった。
【０００６】
また、前方吸引型の湿式ガス状物質処理装置の場合、風量の大きな吸気ファンを用いると、大きな風圧によってガス状物質吸入口側の貯水槽の水面が押し下げられ過ぎてしまい、前記ガス状物質吸入口から吸入された、汚れた空気を含むガス状物質が前記貯水槽の水とあまり接触しないまま、ガス状物質排出口から排出されてしまうという問題があった。
【先行技術文献】
【特許文献】
【０００７】
【特許文献１】特開２０１７−１０４８４３
【発明の開示】
【発明が解決しようとする課題】
【０００８】
本発明は、上記した従来技術の問題に鑑みなされたもので、ガス状物質吸入口側に設置した吸気ファンの風量を上げても、処理室内に吸入されたガス状物質が貯水槽の水と確実に接触することができるようにした、湿式ガス状物質処理装置を提供することを目的とする。
【課題を解決するための手段】
【０００９】
上記課題を解決するため、本発明の湿式ガス状物質処理装置は、処理室と、前記処理室上部に設けられ、装置外部のガス状物質を前記処理室内に吸入させるための吸気ファンと、前記処理室に形成され前記処理室内にガス状物質を吸入させるためのガス状物質吸入口と、前記処理室に形成され前記処理室内に吸入されたガス状物質を前記処理室外に排出させるガス状物質排出口と、前記処理室内に設けられた貯水槽と、前記ガス状物質吸入口から吸入されるガス状物質と前記ガス状物質排出口から排出されるガス状物質とを前記処理室内で仕切るように、前記貯水槽の静止水面の上方に垂設せしめられてなる垂設仕切板と、前記ガス状物質排出口側の前記貯水槽の静止水面と平行して、前記貯水槽の静止水面の上方に設置され、前記貯水槽の水面に奔流を発生せしめるための波状多孔質奔流発生板と、前記波状多孔質奔流発生板の上方に設置され、前記奔流により生じる飛沫を受けるための少なくとも一つの多孔質邪魔板と、前記垂設仕切板に、下端に行くに従って前記垂設仕切板から離間するように傾斜して設けられた傾斜規制板と、を有し、前記垂設仕切板よりも前記傾斜規制板の方が下方に延出せしめられてなり、前記処理室内に吸入されたガス状物質が前記貯水槽の水と接触することによって浄化されるようにした、湿式ガス状物質処理装置である。
【００１０】
前記多孔質邪魔板が、前記貯水槽の静止水面に対して傾斜して設けられ、且つ複数枚設けられてなるのが好ましい。
【００１１】
前記傾斜規制板が、前記垂設仕切板に対して１５°〜４０°傾斜して設けられてなるのが好ましく、２０°〜３０°がさらに好ましい。
【００１２】
本明細書において、ガス状物質には、排ガス、塗料粉塵、黒煙、有毒ガスなどの環境に影響を与えるガス状物質が含まれ、灯油、重油等の燃焼から発生するカーボン系超微粒子及び塗装などの微細粉塵も含まれる。
【００１３】
前記波状多孔質奔流発生板及び前記多孔質邪魔板が、パンチングメタルによって構成されてなるのが好適である。
【００１４】
本発明の湿式ガス状物質処理装置を用いることで、前記処理室内に吸入されたガス状物質が前記貯水槽の水と接触することによって浄化されるようにした湿式ガス状物質処理方法を行うことができる。
【発明の効果】
【００１５】
本発明によれば、ガス状物質吸入口側に設置した吸気ファンの風量を上げても、処理室内に吸入されたガス状物質が貯水槽の水と確実に接触することができるようにした、湿式ガス状物質処理装置を提供することができるという著大な効果を奏する。
【図面の簡単な説明】
【００１６】
【図１】本発明に係る湿式ガス状物質処理装置の一つの実施の形態を示す一部透視斜視図である。
【図２】図１の湿式ガス状物質処理装置を別の方向からみた一部透視斜視図である。
【図３】図１の湿式ガス状物質処理装置の模式的説明図であって、静止水面の状態を示す。
【図４】図３の一部拡大説明図であって、奔流が発生している様子を示す。
【発明を実施するための形態】
【００１７】
以下、本発明の実施形態を添付図面を参照しながら説明する。図１に本発明に係る湿式ガス状物質処理装置の一つの実施の形態を示す。
【００１８】
図１〜図４において、符号１０は本発明の湿式ガス状物質処理装置である。
【００１９】
湿式ガス状物質処理装置１０は、処理室１２と、前記処理室上部に設けられ、装置外部のガス状物質を前記処理室１２内に吸入させるための吸気ファン１４と、前記処理室１２に形成され前記処理室１２内にガス状物質を吸入させるためのガス状物質吸入口１６と、前記処理室１２に形成され前記処理室１２内に吸入されたガス状物質を前記処理室１２外に排出させるガス状物質排出口１８と、前記処理室１２内に設けられた貯水槽２０と、前記ガス状物質吸入口１６から吸入されるガス状物質と前記ガス状物質排出口１８から排出されるガス状物質とを前記処理室１２内で仕切るように、前記貯水槽２０の静止水面の上方に垂設せしめられてなる垂設仕切板２２と、前記ガス状物質排出口１８側の前記貯水槽２０の静止水面と平行して、前記貯水槽２０の静止水面の上方に設置され、前記貯水槽２０の水面に奔流を発生せしめるための波状多孔質奔流発生板２４と、前記波状多孔質奔流発生板２４の上方に設置され、前記奔流により生じる飛沫を受けるための少なくとも一つの多孔質邪魔板２６ａ，２６ｂ，２６ｃと、前記垂設仕切板２２に、下端に行くに従って前記垂設仕切板２２から離間するように傾斜して設けられた傾斜規制板２８と、を有している。そして、前記垂設仕切板２２よりも前記傾斜規制板２８の方が下方に延出せしめられてなり、前記処理室１２内に吸入されたガス状物質が前記貯水槽２０の水と接触することによって浄化されるようにした、湿式ガス状物質処理装置である。
【００２０】
図示例では、処理室１２の下部が貯水槽２０とされている。貯水槽２０には、弁付きの給排水口３０が備わっているので、給水や排水を行うことができる。また、多孔質邪魔板は、図示例では、多孔質邪魔板２６ａ，２６ｂ，２６ｃの三枚設けた例を示した。多孔質邪魔板は少なくとも一つ設ければよいが、複数枚設けるのが好適である。
【００２１】
また、前記多孔質邪魔板２６ａ，２６ｂ，２６ｃは、図３によく示されるように、前記貯水槽２０の静止水面に対して傾斜して設けられている。静止水面の水位は、図示例では、図３に示すようにＴ１の位置である。また、図示例では、波状多孔質奔流発生板２４及び多孔質邪魔板２６ａ，２６ｂ，２６ｃは、パンチングメタルで作製した例を示した。
【００２２】
波状多孔質奔流発生板２４は、波状とされており、多数の孔が開穿されている。図示例では波状多孔質奔流発生板２４は、ＳＵＳ製のパンチングメタルを使用した例を示した。例えば、孔の直径が３ｍｍ〜５ｍｍ程度、開口率が５０％〜６０％程度、波高が１０ｍｍ〜２０ｍｍ程度のパンチングメタルが好適に使用できる。但し、波状多孔質奔流発生板２４は、処理する風量、集塵されるゴミ種類や大きさなどによって、孔の直径を変えたり、波高或いは、折数（波の周期数）を変化させる。
【００２３】
吸気ファン１４は駆動モータ３２で駆動されている。また、傾斜規制板２８は、前記垂設仕切板２２に対して傾斜して設けられているが、１５°〜４０°傾斜して設けるのが好適である。図示例では、図４に示すように傾斜規制板２８の傾斜角度θは３０°とされている。また、傾斜規制板２８は垂設仕切板２２に支持プレート３４によっても支持されている。
【００２４】
図１〜３では、貯水槽２０の水は静止水面の状態を示しており、湿式ガス状物質処理装置１０のスイッチはＯＦＦの状態である。図３には、ガス状物質の流れを示してある。ガス状物質吸入口１６から湿式ガス状物質処理装置１０の外の雰囲気が処理室１２に吸入されることになるので、飲食店を含む店舗、製造工場や化学工場或いはプラントなどに湿式ガス状物質処理装置１０を設置する場合、ガス状物質はガス状物質を含む空気となる。
【００２５】
処理室１２には、ガス状物質吸入口１６と連通する連通吸入開口部３６と、ガス状物質排出口１８と連通する連通排出開口部３８とが形成されている。
【００２６】
図３に、湿式ガス状物質処理装置１０における貯水槽２０の水は静止水面としたままで、ガス状物質の流れを示した。ガス状物質吸入口１６からガス状物質が吸入されると（吸気）、処理室１２へと送られて、貯水槽２０の水と接触し、波状多孔質奔流発生板２４及び多孔質邪魔板２６ａ，２６ｂ，２６ｃを通過して、ガス状物質排出口１８から排出される（排気）。
【００２７】
湿式ガス状物質処理装置１０の外の汚れた空気を含むガス状物質は、ガス状物質吸入口１６から処理室１２に吸入され、垂設仕切板２２によって貯水槽２０へと送られて水を潜り抜けて貯水槽２０を通り抜けてガス状物質排出口１８から排出されるまで、貯水槽２０は空気が漏れない構造とされている。
【００２８】
湿式ガス状物質処理装置１０のスイッチをＯＮとした状態の模式図を図４に示す。図４に示すように、湿式ガス状物質処理装置１０のスイッチをＯＮとすると、吸気ファン１４によってガス状物質吸入口１６からガス状物質が強制的に処理室１２内に吸入されるため、貯水槽２０内のガス状物質吸入口１６側の水の水位が、図４の水位Ｔ２ぐらいまで下がる。
【００２９】
一方、ガス状物質はガス状物質排出口１８から排出されるため、貯水槽２０内のガス状物質排出口１８の水Ｗの水位が上昇せしめられ、波状多孔質奔流発生板２４に接触する水位Ｔ３となる。
【００３０】
また、傾斜規制板２８は、垂設仕切板２２よりも下方に延出せしめられていることから、傾斜規制板２８の裏側にはガス状物質の渦流４０が出来る。そして、貯水槽２０内の水Ｗは、ガス状物質とあわさって、波状多孔質奔流発生板２４の孔にぶつかり、抜けようとして激しく奔流となって、波状多孔質奔流発生板２４の全面から吹き上がる。この際に、気泡や飛沫も生じる。このように、吸気した汚れた空気を含むガス状物質の全てが水流に接触するようにされている。
【００３１】
そのため、本発明の湿式ガス状物質処理装置１０は、吸気ファンを貯水槽よりもガス状物質吸入口側に設置した装置（前方吸引型の湿式ガス状物質処理装置）であるが、吸気ファン１４として風量が大きく、強力に外気を吸引する力を発揮するタイプのファンを使用しても、吸気した汚れた空気を含むガス状物質の全てが水流に接触し浄化される。従って、従来のように、汚れた空気を含むガス状物質が、僅かな隙間や穴から装置の外に吹きだしてしまうという問題や前記ガス状物質吸入口から吸入された汚れた空気を含むガス状物質が前記貯水槽の水とあまり接触しないまま、ガス状物質排出口から排出されてしまうという問題は発生しないのである。また、傾斜規制板２８を設けたことで、従来よりも貯水槽２０内の水Ｗが少なくて済むという利点もある。
【００３２】
発生した奔流により、飛沫が生じるが飛沫の水滴４２は、水面の上方に設置された多孔質邪魔板２６ａ，２６ｂ，２６ｃに当たって跳ね返され、貯水槽２０へと戻される。
【００３３】
このようにして、ガス状物質は、貯水槽２０の水Ｗと接触することによって浄化される。黒煙や油煙、塗料など粒子の大きいものは水Ｗによって除去される。そして、ガス状物質はガス状物質排出口１６から排出される。
【００３４】
また、ガス状物質排出口１６には、脱臭装置を取付けても良く、例えば、特許文献１に示されるような加熱ヒータを用いた脱臭装置を取付けても良い。
【００３５】
本発明の湿式ガス状物質処理装置によれば、灯油、重油等の燃焼から発生するカーボン系超微粒子なども効率良く分離回収することができ、除塵も可能である。
【００３６】
また、特許文献１に示すように、本発明の湿式ガス状物質処理装置には、循環ポンプによって貯水槽の水を循環水タンクへと循環させるように構成した循環濾過装置を取付けてもよい。
【００３７】
飲食店などの店舗の厨房に設置する場合には、本発明の湿式ガス状物質処理装置のサイズを小さくしたものを用いるようにし、製造工場や化学工場、プラントに設置する場合には、湿式ガス状物質処理装置のサイズを大きくしたものを用いるようにすればよい。飲食店などの店舗に設置する場合には、調理に伴い生じる排煙などを効果的に分離除去することができる。また、湿式ガス状物質処理装置のサイズを小さくすれば、飲食店でも或いは工場や施設でも、卓上に置いて卓上用としての使用も可能である。このように、本発明の湿式ガス状物質処理装置は、排煙や排ガスが生じる様々な場所に設置することで、浄化処理を行うことが可能である。
【００３８】
なお、本発明は上記実施形態に限定されるものではない。上記形態は例示であり、本発の特許請求の範囲に記載された技術的思想と実質的に同一な構成を有し、かつ同様な作用効果を奏するものは、いかなるものであっても本発明の技術的範囲に包含される。
【符号の説明】
【００３９】
１０：湿式ガス状物質処理装置、１２：処理室、１４：吸気ファン、１６：ガス状物質吸入口、１８：ガス状物質排出口、２０：貯水槽、２２：垂設仕切板、２４：波状多孔質奔流発生板、２６ａ，２６ｂ，２６ｃ：多孔質邪魔板、２８：傾斜規制板、３０：給排水口、３２：駆動モータ、３４：支持プレート、３６：連通吸入開口部、３８：連通排出開口部、４０：渦流、４２：水滴、Ｔ１，Ｔ２，Ｔ３：水位、Ｗ：水。
【図１】
2019126743.tif 000003
【図２】
2019126743.tif 000004
【図３】
2019126743.tif 000005
【図４】
2019126743.tif 000006